(57)【特許請求の範囲】
【請求項１】
各々光不透過性部材からなり１５ｍｍ〜３０ｍｍの範囲で互いに直径の異なる略球形をなし、直径値の順序に配列された複数の眼球模型と、
各眼球模型に対応するように表示された遠視、正視及び／又は近視の文字又は記号を有する表示部と
を備えることを特徴とする、眼球模型群セット。
【請求項２】
前記表示部が、前記遠視又は近視の文字又は記号とともに又はそれらに代えて、各眼球模型に対応するように表示された直径値、年齢及び／又は硬貨の画像を有する、請求項１に記載の眼球模型群セット。
【請求項３】
更に、前記各眼球模型の一方の側より互いに平行に突出した脚部と、
これらの脚部が各々嵌入可能な複数の孔を有する一つの台とを備え、
前記表示部が前記台に設けられている、請求項１又は２に記載の眼球模型群セット。
【発明の詳細な説明】
【技術分野】
【０００１】
この発明は、ヒトの眼球における遠視や近視の状態を学習できる眼球模型群セットに関する。
【背景技術】
【０００２】
遠視や近視の状態を学習できる眼球模型として、光透過性部材により略球形状に形成された貯水可能な本体と、本体に向かって光線を照射する光源と、本体と光源との間に配置されたスリット板とを備えるものが提案されている（特許文献１）。この眼球模型によれば、スリットを通過した光線の結像位置が本体の後壁面上であるか（正視眼）、後壁面よりもスリットから遠い位置であるか（遠視眼）、近い位置であるか（近視眼）によって眼球の機能などを学習できるようになっている。
【０００３】
一方、ヒトの目は、誕生時は眼球も小さくて強度の遠視眼であって、成長に伴って眼球も大きくなり、５〜６歳でほぼ正視眼となる。
【先行技術文献】
【特許文献】
【０００４】
【特許文献１】特開２００８−１８５９８７号公報
【発明の概要】
【発明が解決しようとする課題】
【０００５】
しかし、特許文献１の眼球模型を含めて従来の眼球模型では、遠視や近視の眼球のサイズの違いを学習することができない。そして、子供の頃はもちろん、大人であっても眼球のサイズと視力との関係を知っている者は少ない。従って、成長期の子供の親の多くは、子供の眼球が小さいために子供が近視眼とならないことから、子供がテレビやゲーム機のディスプレイを長時間見続けても危機感を覚えにくく、子供に近視を発症させてしまう。
それ故、この発明の課題は、眼球のサイズと遠視、正視又は近視との関係を理解しやすくした眼球模型群セットを提供することにある。
【課題を解決するための手段】
【０００６】
その課題を解決するために、この発明の眼球模型群セットは、
各々光不透過性部材からなり１５ｍｍ〜３０ｍｍの範囲で互いに直径の異なる略球形をなし、直径値の順序に配列された複数の眼球模型と、
各眼球模型に対応するように表示された遠視、正視及び／又は近視の文字又は記号を有する表示部と
を備えることを特徴とする。
【０００７】
ヒトの出生時の眼球の直径は、１６mmから１７mmであり、１歳で約１８mmになり、その後個人差はあるものの１年に１〜２ｍｍ程度ずつ成長して概ね４歳で正常な大人と同程度の２４mmくらいになる。従って、３歳までは通常、遠視眼である。
この発明の眼球模型群セットによれば、直径の異なる複数の眼球模型が直径値の順序に配列され、表示部が各眼球模型に対応するように表示された遠視、正視及び／又は近視の文字又は記号を有する。しかも各眼球模型の直径は１５ｍｍ〜３０ｍｍという実物大である。このため、眼球のサイズと遠視、正視又は近視との関係を直感的に理解することができる。ここで記号とは、特に限定されず、凸レンズや凹レンズの図形であったり、遠視や近視の英語表記の頭文字であってよい。
【０００８】
前記表示部は、好ましくは前記遠視又は近視の文字又は記号とともに又はそれらに代えて、各眼球模型に対応するように表示された直径値、年齢及び／又は硬貨の画像を有する。特に年齢が表示されていれば、その年齢の子供の眼球の正常なサイズが直ぐにわかる。また、硬貨の画像については、１円硬貨、５０円硬貨、５円硬貨、１０円硬貨、５００円硬貨の直径がそれぞれ２０ｍｍ、２１ｍｍ、２２ｍｍ、２３．５ｍｍ、２６．５ｍｍであることから、１円硬貨から５円硬貨までで１歳から３歳まで、１０円硬貨で４歳の各年齢の眼球模型と対応させ、５００円硬貨で成長しすぎて近視眼となった眼球の模型と対応させることができる。
【０００９】
更に好ましい別の構成は、前記眼球模型と表示部に加え、前記各眼球模型の一方の側より互いに平行に突出した脚部と、これらの脚部が各々嵌入可能な複数の孔を有する一つの台とを備え、前記表示部が前記台に設けられているものである。この構成によれば、脚部で視神経を模すと同時に各眼球模型の配列と表示部を固定することができる。
【発明の効果】
【００１０】
以上のように、この発明の眼球模型群セットによれば、眼球のサイズと遠視、正視又は近視との関係を直感的に理解することができるので、成長期の子供における近視眼の発症防止に役立つ。
【図面の簡単な説明】
【００１１】
【図１】実施形態１の眼球模型群セットを示す斜視図である。
【図２】同じく平面図である。
【図３】同じく正面図である。
【図４】同じく底面図である。
【図５】同じく背面図である。
【図６】同じく左側面図である。
【図７】同じく右側面図である。
【図８】実施形態２の眼球模型群セットを示す平面図である。
【図９】実施形態３の眼球模型群セットに用いられるフィルムの平面図である。
【発明を実施するための形態】
【００１２】
−実施形態１−
眼球模型群セット１は、図１〜７に示すように、６つの眼球模型２０、２１、２２、２３、２４、２５の群２と、台３とを備える。眼球模型２０は、中空で乳白色プラスチック製の球形部２０ａと、球形部２０ａの上面に球形部２０ａよりも少し大きい曲率の円弧面にて一体的に形成された角膜部２０ｂとからなる。球形部２０ａの直径は１６．０ｍｍで、新生児の眼球の大きさに相当する。
【００１３】
眼球模型２１、２２、２３、２４、２５を構成する残り５つの球形部も直径が各々１８．０ｍｍ、２０．０ｍｍ、２２．０ｍｍ、２４．０ｍｍ、２６．０ｍｍであって、１歳、２歳、３歳（以上、遠視眼）、４歳（正視眼）、近視眼に相当する以外は、球形部２０ａと同形同質である。以下、球形部２０ａに関する説明は、その直径以外は残り５つの球形部にも当てはまる。
【００１４】
球形部２０ａの下面には、直径５ｍｍ程度の円柱状の脚部４が下方に延びている。台３は白色でない有色プラスチック製で、平坦な床部３ａと床部３ａの後方に立てられた壁部３ｂとからなる側面視Ｌ字形をなし、床部３ａに一列に並んだ６つの孔が設けられている。６本の脚部４がそれらの孔に各々嵌入されることにより、眼球模型２０、２１、２２、２３、２４、２５が隣同士５〜１０ｍｍの間隔を開けて直径値の順序で台３に固定されている。床部３ａ上面は表示部として機能し、そこには、図示しないが、眼球模型２０、２１、２２、２３、２４の前に「遠視眼」の文字、眼球模型２５の前に「近視眼」の文字、眼球模型２４と２５の間の前に「正視眼」の文字が印刷されている。
【００１５】
眼球模型群セット１によれば、直径の異なる６つの眼球模型２０、２１、２２、２３、２４、２５が直径値の順序に配列され、表示部が各眼球模型に対応するように表示された遠視、正視及び／又は近視の文字を有する。しかも各眼球模型の直径は１６ｍｍ〜２６ｍｍという実物大である。このため、眼球のサイズと遠視、正視又は近視との関係を直感的に理解することができる。
【００１６】
球形部２０ａは、中実であってもよいし、材質もプラスチックに限らず、木、金属などでもよい。台３も同様である。角膜部を正面、脚部４を背面に設け、群２を壁部３ｂに固定することにより、正面から眺めるようにしても良い。
【００１７】
−実施形態２−
この実施形態では、実施形態1の眼球模型群セット１における表示部に直接印刷された「遠視眼」などの文字に代えて、眼球模型２０を除く眼球模型２１、２２・・・２５の各々に対応させて順に１円硬貨、５０円硬貨、５円硬貨、１０円硬貨、５００円硬貨が表示部に貼り付けられている。従って、眼球の実物大を覚えやすい。
【００１８】
−実施形態３−
この実施形態では、実施形態1の眼球模型群セット１における表示部に直接印刷された「遠視眼」などの文字に代えて、透明プラスチックフィルムからなる表示板５が床部３ａ上面に置かれている。そして、表示板５に、眼球模型２１、２２・・・２５の各々に対応させて順に１円硬貨、５０円硬貨、５円硬貨、１０円硬貨、５００円硬貨が写真印刷され、更に「０歳」、「１歳」などの年齢、「遠視眼」、「近視眼」などの視力、「１６．０ｍｍ」、「１８．０ｍｍ」などの球形部の直径が印字されている。従って、子供の成長期における眼球の正常な実物大を覚えやすい。
【符号の説明】
【００１９】
１  眼球模型群セット
２０、２１、２２、２３、２４、２５  眼球模型
３  台
４  脚
【図１】
0006508536.tif 000002
【図２】
0006508536.tif 000003
【図３】
0006508536.tif 000004
【図４】
0006508536.tif 000005
【図５】
0006508536.tif 000006
【図６】
0006508536.tif 000007
【図７】
0006508536.tif 000008
【図８】
0006508536.tif 000009
【図９】
0006508536.tif 000010